(57)【要約】【課題】ディスクに記録されている信号の再生動作を行う光ディスク再生装置の再生制御方法を提供する。【解決手段】コンピュータ装置９より出力される読み取り命令信号が入力されるとともに光ディスク再生装置の動作を制御するシステム制御回路８と、ディスクＤより読み出された信号が一旦記憶されるとともにデコード処理するために記憶された信号が読み出されるデコードバッファ回路７と、ディスクを回転駆動するスピンドルモーター１の回転速度を制御するスピンドルモーター制御回路１１を設け、ディスクＤを高速回転させた状態でディスクＤに記録されている信号の読み出し動作を行っているとき、前記デコードバッファ回路７に書き込まれた信号の記憶容量が所定量以上に達っしたときディスクＤの回転速度を低速回転状態に変更する。【選択図】    図１
2004342227.tif 000002
【特許請求の範囲】
【請求項１】
コンピュータ装置から出力される命令信号に基づいてディスクに記録されている信号を高速回転状態及び低速回転状態にて再生することが出来るように構成された光ディスク再生装置において、コンピュータ装置より出力される読み取り命令信号がインターフェース回路を通して入力されるとともに光ディスク再生装置の動作を制御するシステム制御回路と、ディスクより読み出された信号が一旦記憶されるとともにデコード処理するために記憶された信号が読み出されるデコードバッファ回路と、ディスクを回転駆動するスピンドルモーターと、前記システム制御回路により動作が制御されるとともに前記スピンドルモーターの回転速度を制御するスピンドルモーター制御回路を設け、ディスクを高速回転させた状態でディスクに記録されている信号の読み出し動作を行っているとき、前記デコードバッファ回路に書き込まれた信号の記憶容量が所定量以上に達っしたときディスクの回転速度を低速回転状態に変更するようにしたことを特徴とする光ディスク再生装置の再生制御方法。
【請求項２】
低速回転状態に変更されたとき、速度変更が行われたことを示すデータを速度変更メモリー回路に記憶するようにしたことを特徴とする請求項１に記載の再生制御方法。
【請求項３】
速度変更メモリー回路に速度変更が行われたことを示すデータが記憶された状態において、コンピュータ装置より所定間隔内で連続して出力される読み取り命令信号の数が設定値より多くなったときディスクの回転速度を低速回転状態から高速回転状態に変更するようにしたことを特徴とする請求項２に記載の再生制御方法。
【発明の詳細な説明】
【０００１】
【発明の属する技術分野】
本発明は、光学式ピックアップより照射されるレーザーによってディスクに記録されている信号の再生動作を行うように構成された光ディスク再生装置に関する。
【０００２】
【従来の技術】
光学式ピックアップを用いてディスクに記録されている信号の読み出し動作を行う光ディスク再生装置が普及しているが、最近では、コンピュータ装置と接続して使用するＲＯＭ型の光ディスク再生装置が普及している。そして、斯かるＲＯＭ型の光ディスク再生装置としてＣＤと呼ばれるディスクを使用するＣＤ−ＲＯＭ装置やＤＶＤと呼ばれるディスクを使用するＤＶＤ−ＲＯＭ装置がある。
【０００３】
前述したＲＯＭ型の光ディスク再生装置は、コンピュータ装置に対して高速でデータ信号を送信する必要があるので、ディスクの回転速度を高速にした状態でディスクに記録されている信号の読み取り動作を行うように構成されている。
【０００４】
コンピュータ装置と組み合わせて使用される光ディスク再生装置は、コンピュータ装置から要求される信号の転送速度により信号の転送動作を行うことが出来るか否かを判定する必要があるので、信号の転送速度を測定する技術が開発されている（例えば、特許文献１参照。）。
【０００５】
【特許文献１】
特開２００２−４１３７２号公報
【０００６】
【発明が解決しようとする課題】
光ディスク再生装置におけるデータ信号の転送速度の測定動作は、該光ディスク再生装置が備えている最高速度にてディスクを回転させた状態にて行われるが、最高速度にてディスクを回転させて信号の読み出し動作を行うと、ディスクの回転による騒音が非常に大きくなるという問題がある。
【０００７】
ディスクに記録されている信号を読み出す通常の再生動作とディスクから読み出された信号の転送速度を測定するための再生動作を行うためにコンピュータ装置より出力される読み取り命令信号は、読み取り命令信号の間隔に相違があるもののその間隔は、両者種々あるため両命令信号を区別することは困難であり、通常の再生動作を行う場合にディスクが最高回転速度にて回転駆動されるという問題がある。
【０００８】
本発明は、斯かる問題を解決することが出来る光ディスク再生装置の再生制御方法を提供しようとするものである。
【０００９】
【作用】
本発明は、コンピュータ装置から出力される命令信号に基づいてディスクに記録されている信号を高速回転状態及び低速回転状態にて再生することが出来るように構成された光ディスク再生装置において、コンピュータ装置より出力される読み取り命令信号がインターフェース回路を通して入力されるとともに光ディスク再生装置の動作を制御するシステム制御回路と、ディスクより読み出された信号が一旦記憶されるとともにデコード処理するために記憶された信号が読み出されるデコードバッファ回路と、ディスクを回転駆動するスピンドルモーターと、前記システム制御回路により動作が制御されるとともに前記スピンドルモーターの回転速度を制御するスピンドルモーター制御回路を設け、ディスクを高速回転させた状態でディスクに記録されている信号の読み出し動作を行っているとき、前記デコードバッファ回路に書き込まれた信号の記憶容量が所定量以上に達っしたときディスクの回転速度を低速回転状態に変更するように構成されている。
【００１０】
【実施例】
図１は本発明に係る光ディスク記録再生装置の一実施例を示すブロック回路図である。同図において、Ｄはスピンドルモーター１によって回転駆動されるターンテーブル２に載置されるディスクであり、該ターンテーブル２の回転により回転駆動されるように構成されている。
【００１１】
３はディスクＤに光ビームを照射させるレーザーダイオード及び該レーザーダイオードより照射される光をモニターするモニター用ダイオードが組み込まれているとともにディスクＤの信号面より反射される光ビームを受ける光検出器が組み込まれている光学式ピックアップであり、ピックアップ送り用モーター（図示せず）によってディスクＤの径方向に移動せしめられるように構成されている。
【００１２】
４は前記光学式ピックアップ３に組み込まれている光検出器から得られるＲＦ信号を増幅するＲＦ信号増幅回路であり、ディスクＤより読み出された信号を２値、即ちデジタル信号にして出力する作用を有している。５は前記光検出器より得られる信号に基づいて前記光学式ピックアップ３の光ビームをディスクＤの信号面に合焦させるフォーカシング制御動作及び該光ビームを前記信号面の信号トラックに追従させるトラッキング制御動作を行うピックアップ制御回路であり、フォーカスサーボ回路及びトラッキングサーボ回路が組み込まれている。
【００１３】
６は前記ＲＦ信号増幅回路４より出力されるデジタル信号が入力されるとともに各種信号の復調動作を行うデジタル信号処理回路、７は前記ＲＦ信号増幅回路４より出力されるデジタル信号が書き込まれるデコードバッファ回路であり、書き込まれたデジタル信号を読み出すことによってデジタル信号処理回路６によるデコード処理等のデジタル処理動作を行うように構成されている。
【００１４】
８は光ディスク再生装置の各種の動作を制御するシステム制御回路、９はホスト機器として接続されているコンピュータ装置であり、インターフェース回路１０によって光ディスク再生装置と接続されている。１１は前記スピンドルモーター１の回転動作を制御するスピンドルモーター制御回路であり、前記システム制御回路８によってその動作が制御されるように構成されている。そして、前記スピンドルモーター制御回路１１によるスピンドルモーター１の回転速度制御動作は、例えば高速回転速度である８０００回転／分と低速の回転速度である４０００回転／分にて行うことが出来るようにされている。
【００１５】
１２は前記コンピュータ装置９からインターフェース回路１０を介してシステム制御回路８に対して所定時間内に入力される読み取り命令信号の回数をカウントする読み取り命令カウント回路である。１３はスピンドルモーター１の回転速度が高速回転速度から低速回転速度への変更動作が行われたことを記憶する速度変更メモリー回路である。
【００１６】
以上に説明したように本発明に係る光ディスク再生装置は構成されているが、コンピュータ装置９より出力される読み取り命令信号について説明する。ＤＶＤ方式のディスクでは、１ブロック単位でデータ信号等がディスクＤに記録されているが、この１ブロックは１６個のセクターと呼ばれる単位で構成されている。斯かる構成のディスクを使用する光ディスク再生装置において、ディスクＤに記録されているデータ信号の再生動作を行うためにコンピュータ装置９から出力される読み取り命令信号は、一般的にブロック単位で信号を読み出す間隔で行われるとともにその出力間隔は規則的に行われる。一方、ディスクＤより読み出されたデータ信号の転送速度を測定するためにコンピュータ装置９から出力される読み取り命令信号は、短い間隔、例えばセクター単位で信号を読み出す間隔で行われるとともにその出力間隔も不規則になることが多い。
【００１７】
以上に説明したようにディスクＤに記録されているデータ信号の再生動作を行うためにコンピュータ装置９から出力される読み取り命令信号とディスクＤより読み出されたデータ信号の転送速度を測定するためにコンピュータ装置９から出力される読み取り命令信号との間には出力間隔が相違するとともに読み出す信号の長さが相違するという特徴がある。
【００１８】
本発明は、前述した相違点を利用して２つの読み取り命令信号を区別するものである。コンピュータ装置９から所定間隔内に出力される読み取り命令信号が連続する数を読み取り命令カウント回路１２のカウント動作によってカウントするように構成されている。ディスクＤに記録されているデータ信号の再生動作を行うための命令信号は、規則的に連続して出力されるとともにその間隔は長くなるようにされている。
【００１９】
光ディスク再生装置では、ディスクＤに記録されている信号の通常の再生動作や信号の転送速度を測定するための動作は、ディスクＤの回転速度を高速の回転速度である８０００回転／分にすることによって開始される。高速回転駆動されるディスクＤから読み出された信号は、デコードバッファ回路７に書き込まれるとともにデジタル信号処理回路６によるデコード処理に応じて読み出し処理が行われる。そして、ディスクＤに記録されている信号の再生動作を行う場合の読み取り命令信号の間隔は長く、且つ信号の処理単位はブロック単位であるのでデコードバッファ回路７に書き込まれて記憶処理される時間が長くなり、記憶される信号量は多くなる。その結果、前記デコードバッファ回路７に書き込まれた信号の記憶容量は所定量、例えばメモリー容量一杯に達することになる。これは、ディスクＤから読み出される信号の速度の方がデジタル信号処理回路６によって処理する速度より速いことによって生じるものであり、ディスクＤからの信号の読み出し動作は間欠的に行われることになる。斯かる動作は、周知であるので説明は省略する。
【００２０】
システム制御回路８は、デジタル信号処理回路６による信号処理動作及びデコードバッファ回路７の書き込み読み出し動作を制御するため、該デコードバッファ回路７の記憶容量を認識することが出来る。従って、前記デコードバッファ回路７に記憶されている信号量を検出することによって記憶容量が所定量以上になったことを認識することが出来る。
【００２１】
前記デコードバッファ回路７に記憶される信号の記憶容量が所定量以上になるということは、デコードバッファ回路７からの信号の読み出し動作、即ちデジタル信号処理回路６によるデコード処理動作が遅いということを意味しており、斯かる動作はコンピュータ装置９から出力される読み取り命令信号の間隔が長いということを示している。従って、斯かる場合の読み取り命令信号は、ディスクＤに記録されている信号の再生動作、即ち通常の再生動作を行うための命令信号であると認識することが出来る。
【００２２】
斯かる認識動作が行われると、システム制御回路８はスピンドルモーター制御回路１１に対してディスクＤの回転速度を低速の回転速度である４０００回転／分に変更するための制御信号を出力する。斯かる制御信号がスピンドルモーター制御回路１１に入力されると該スピンドルモーター制御回路１１による制御動作によってスピンドルモーター１の回転速度が低速側に変更される。斯かる動作が行われる結果、ディスクＤの高速回転に伴って発生する騒音を抑えることが出来る。このようにして、通常の再生動作を行うための読み取り命令信号がコンピュータ装置９から出力される場合には、ディスクＤの回転速度を低速側に変更する動作が行われるが、斯かる回転速度の変更動作が行われると、その変更動作が行われたことが速度変更メモリー回路１３によって記憶される。
【００２３】
以上に説明したようにコンピュータ装置９から出力される読み取り命令信号が通常の再生動作を行うための信号である場合の動作は行われるが、次に信号の転送速度を測定するための読み取り命令信号がコンピュータ装置９から出力される場合の動作について説明する。
【００２４】
ディスクＤより再生される信号の転送速度を測定するためにコンピュータ装置９から出力される読み取り命令信号の間隔は、ブロックではなくセクターと呼ばれる細かな単位で信号の読み取り動作を行うために出力されるため通常の再生動作の場合と比較して短くなる。斯かる場合には、デジタル信号処理回路６によるデコード処理が短時間単位で行われるため、デコードバッファ回路７に書き込まれる信号の量が増大する前に読み出し動作が行われることになる。従って、斯かる場合にはデコードバッファ回路７に記憶される信号の量が所定量に達することはなく、斯かる信号量の変化はシステム制御回路８によって認識することが出来る。
【００２５】
斯かる場合には、前記デコードバッファ回路７に記憶される信号の量が所定量に達っしないので、コンピュータ装置９から出力される読み取り命令信号は、ディスクＤから再生される信号の転送速度を測定するための信号であると認識することが出来る。斯かる場合には、ディスクＤの回転速度を高速回転速度に維持する必要があるので、スピンドルモーター制御回路１１によってスピンドルモーター１の回転速度は高速回転速度に維持されることになる。斯かる状態において、ディスクＤより再生される信号は、デジタル信号処理回路６によってデコード処理された後インターフェース回路１０を介してコンピュータ装置９に対して出力されることになる。その結果、コンピュータ装置９は、該コンピュータ装置９にインストールされているプログラムによって信号の転送速度の測定動作を行うことになる。
【００２６】
以上に説明したように通常の再生動作及び転送速度の測定動作を行うための再生動作は行われるが、前述した通常の再生動作によってスピンドルモーター１の回転速度が低速回転状態に変更された状態において、ディスクの交換を行った場合の動作について説明する。
【００２７】
ディスクＤの交換を行って新しいディスクＤをターンテーブル２上に載置させた状態において、コンピュータ装置９から読み取り動作を行うための読み取り命令信号を送出すると所定間隔内で連続して出力される読み取り命令信号の数をカウントするカウント動作が読み取り命令カウント回路１２によって行われる。斯かるカウント動作によってそのカウント数が所定数に達すると、ディスクＤに記録されている信号の読み取り動作を行うための読み取り命令信号がシステム制御回路８に入力されたと判断される。
【００２８】
そして、この場合に速度変更メモリー回路１３にスピンドルモーター１の回転速度が低速側に変更されていることが記憶されているため、システム制御回路８はスピンドルモーター制御回路１１に対してスピンドルモーター１の回転速度を高速側に変更させるための制御信号を出力する。斯かる制御信号がスピンドルモーター制御回路１１に入力されると、該スピンドルモーター制御回路１１によってスピンドルモーター１の回転速度を高速にする制御動作が行われる。その結果、ディスクＤが高速回転駆動せしめられ前述した信号の読み取り動作が行われることになる。斯かる高速回転状態への変更動作が行われると、速度変更メモリー回路１３に記憶されていた速度変更が行われていたことを示すデータの消去動作が行われる。
【００２９】
そして、斯かる読み取り動作が開始されると、前述した信号読み取り命令信号が通常の再生動作を行うための命令信号か転送速度を測定するための命令信号かの認識動作が行われ、その認識結果に基づく制御動作が同様に行われることになる。
【００３０】
コンピュータ装置９から出力される命令信号は、種々あるが、所定間隔内の信号が連続して出力され、且つその数が所定数連続する命令信号は、ディスクＤに記録されている信号を読み出すための命令信号であり、その他の命令信号は、所定数連続することはないので、読み取り命令カウント回路１２によって所定間隔内で出力される命令信号の数をカウントすることによってコンピュータ装置９から出力される命令信号が読み取り命令信号であるか否かの認識を行うことが出来る。
【００３１】
尚、デジタル信号処理回路６によるデジタル信号処理動作等は、ディスクＤの回転速度に応じて行われるように構成されている。
【００３２】
【発明の効果】
本発明は、コンピュータ装置から出力される命令信号に基づいてディスクに記録されている信号を高速回転状態及び低速回転状態にて再生することが出来るように構成された光ディスク再生装置において、コンピュータ装置より出力される読み取り命令信号がインターフェース回路を通して入力されるとともに光ディスク再生装置の動作を制御するシステム制御回路と、ディスクより読み出された信号が一旦記憶されるとともにデコード処理するために記憶された信号が読み出されるデコードバッファ回路と、ディスクを回転駆動するスピンドルモーターと、前記システム制御回路により動作が制御されるとともに前記スピンドルモーターの回転速度を制御するスピンドルモーター制御回路を設け、ディスクを高速回転させた状態でディスクに記録されている信号の読み出し動作を行っているとき、前記デコードバッファ回路に書き込まれた信号の記憶容量が所定量以上に達っしたときディスクの回転速度を低速回転状態に変更するようにしたので、高速回転を必要としない再生動作を行う場合の騒音の発生を抑えることが出来る。
【００３３】
また、本発明は、速度変更メモリー回路に速度変更が行われたことを示すデータが記憶された状態において、コンピュータ装置より所定間隔内で連続して出力される読み取り命令信号の数が設定値より多くなったときディスクの回転速度を低速回転状態から高速回転状態に変更するようにしたので、信号転送速度の測定動作を行うための動作を速やかに行うことが出来る。
【図面の簡単な説明】
【図１】本発明に係る光ディスク再生装置の一実施例を示すブロック回路図である。
【符号の説明】
Ｄ        ディスク
１        スピンドルモーター
３        光学式ピックアップ
６        デジタル信号処理回路
７        デコードバッファ回路
８        システム制御回路
９        コンピュータ装置
１０        インターフェース回路
１１        スピンドルモーター制御回路
１２        読み取り命令カウント回路
１３        速度変更メモリー回路
【図１】
2004342227.tif 000003